(57)【要約】【課題】  持ち運ぶことが容易であり、マイナスイオン環境の創出のみならず、電磁波の影響を低減・低減でき、更には、芳香等の有効成分による鎮静やリラクゼーション、花粉症の予防、扇骨や扇面等の強化などの効果に優れた物品を提供すること。【解決手段】  扇面２の片面又は両面が毛羽立たせてあり、その片面には、毛羽立たせることで生じた起毛４に吸放湿性を損なわないよう金属皮膜５が形成されており、複数の扇骨１には導電性塗装が要３まで連続して施されており、前記金属皮膜と前記導電性塗装はいずれかの部分で通電可能に接触している。また、前記要３には導電性を帯びるよう炭化した小径の瓢箪８が導電性の連結具９で連結されており、前記瓢箪８にはアロマオイルが含侵又は封入されている。【選択図】    図２
2008253588.tif 000002
【特許請求の範囲】
【請求項１】
少なくとも、複数の扇骨と、該複数の扇骨を開閉自在に束ねる要と、前記複数の扇骨に貼付される扇面とから構成される扇子において、前記扇面は片面又は両面が毛羽立たせてあること、又は、扇面の片面又は両面若しくは扇骨に羽毛を貼り合わせたことを特徴とする扇子。
【請求項２】
前記扇面の片面には吸放湿性を損なわないように金属皮膜が形成されており、前記複数の扇骨には導電性塗装が前記要まで連続して施されており、前記金属皮膜と前記導電性塗装はいずれかの部分で通電可能に接触していることを特徴とする請求項１に記載の扇子。
【請求項３】
前記扇面の片面には吸放湿性を損なわないように金属皮膜が形成されており、前記複数の扇骨の各々は２枚の竹皮を前記要まで導電性接着剤で貼り合わせたものであり、前記金属皮膜と前記導電性接着剤はいずれかの部分で通電可能に接触していることを特徴とする請求項１に記載の扇子。
【請求項４】
前記要は導電性素材であること、又は、導電性塗装が施されていることを特徴とする請求項２又は請求項３に記載の扇子。
【請求項５】
前記扇面が貼付される前記複数の扇骨には予め芯紙が設けられていることを特徴とする請求項１乃至請求項４に記載の扇子。
【請求項６】
前記芯紙は導電性素材であることを特徴とする請求項５に記載の扇子。
【請求項７】
前記扇面は竹紙又は竹布又は絹若しくは綿であることを特徴とする請求項１乃至請求項６に記載の扇子。
【請求項８】
前記扇面が貼付されるとは反対側の複数の扇骨には意匠を凝らした装飾紙が貼付されることを特徴とする請求項１乃至請求項７に記載の扇子。
【請求項９】
前記複数の扇骨と前記扇面との貼付は導電性接着剤又は珪藻土またはアロフェンの微粒子を混合した導電性接着剤によること特徴とする請求項２乃至請求項８に記載の扇子。
【請求項１０】
前記要には導電性を帯びるよう炭化させた小径の竹筒又は瓢箪が導電性の連結具で連結されており、該竹筒又は瓢箪にはアロマオイル等の芳香剤が含侵又は封入されていることを特徴とする請求項１乃至請求項９に記載の扇子。
【発明の詳細な説明】
【技術分野】
【０００１】
本発明は、扇ぐだけでマイナスイオンを体内に取り込むことができると共に、電磁波の悪影響を軽減でき、更に、精神の安定化を図ることができる健康維持増進に資する扇子に関する。
【背景技術】
【０００２】
従来から、森林浴の効果が得られ、ストレスを解消するために、マイナスイオンが適していることは知られており、様々なマイナスイオン発生器が製品化されている。これら製品はその周辺をマイナスイオン環境にすることは可能であるが、大型であり、重量もあるため、到底、日常的に持ち運ぶことは不可能である。また、最近では、マイナスイオンを発生する扇子も開発されているが、ガーネット微粉末等を添加したマイナスイオン発生の液状組成物をシートに塗布した構成である。このように、従来の技術は液状組成物それ自体がマイナスイオン発生機能を備えているものであり、液状組成物が有する能力範囲内でマイナスイオンを発生させるだけのものであった。
【０００３】
現代の生活環境は戦後、物質的には非常に豊かになったが、一方では、森林など自然環境の破壊により緑地が激減したことで、新鮮な空気が生活域まで十分に供給されないようになった。また、携帯電話やパソコン、テレビ、冷蔵庫などの普及により、いたるところで人体に悪影響を及ぼす電磁波に晒されるようになった。そうして、これらの現象は特に都市部において顕著である。そこで出願人は、大掛かりな装置を用いることなく、都市部に居ながらにして、森林浴の効果が得られ、電磁波の悪影響を低減でき、且つ、ストレスが解消できるような物品の開発に着手し、より身近な物品である扇子へのこれら機能の具現化を図った。
【０００４】
私たち人間の身体は、全体重の約７１％が水分で構成されているが、呼吸により常時、水分が体外に排出されているため、絶えず水分を補給し、入れ替える必要がある。その際、より多くのマイナスイオンを体内に取り込むことで、自律神経を安定させ、ストレスを軽減させることができる。マイナスイオンは滝の周辺や森林に多く存在しているが、それは水粒子が極めて微細なクラスター化することでもたらされる効果であり、レナード効果といわれる。つまり、水滴の表面はマイナスに帯電しているが、それをプラスにしようと空気中のプラスイオンが吸着されるため、電気二重層の原理により、結果的にその周辺の空気分子がマイナスに帯電し、マイナスイオン環境が創出されるのである。そのため、膨大な量の水が落下する滝壷では、粉砕により微細化した水粒子が大量に発生し、プラスイオンを吸着するため、その周辺に広範囲なマイナスイオン環境が創出されるのである。
【０００５】
他方、先に述べたとおり、人間は呼吸により常時、水分を体外に排出しているが、その排出される息の中に２０，０００〜５０，０００個／立方センチメートルものマイナスイオンが含まれている。そのため、息を吹きかけるだけで、市販されている殆どのマイナスイオン発生器を遥かに凌ぐマイナスイオンを発生させることができる。このように、水粒子の微細化がマイナスイオン環境創出の要因となるところ、人間の息はまさに微細化した水粒子の塊であり、それ自体が大量のマイナスイオン発生源となっているのである。換言すると、従来の技術は電気的にマイナスイオンを発生させたり、素材自体にマイナスイオンを発生させる鉱物を用いるもので、その発生量を考慮したものばかりであったが、本発明は人間の息に含まれるマイナスイオンを如何に還元するかという、その作用量を考慮したものであり、この点で従来の技術とは根本的な思想を全く異にしている。
【０００６】
また、我々の周辺には携帯電話やパソコン、テレビ、冷蔵庫など、電磁波を発生する様々の機器が存在しているが、電磁波は人間の生体組織中に熱を発生させる懸念や、人間の聴覚機能に悪影響を及ぼす虞があるといわれている。更に、電磁波には非熱作用と呼ばれる熱以外の悪影響を及ぼす虞、例えば、体内の免疫力を低下させたり、遺伝子に障害を与えることで、癌やアルツハイマー病の間接的な発生要因となる虞があるともいわれている。そのため、例えば、電車の車内で携帯電話の使用はできるだけ控えるとか、パソコンやテレビ、冷蔵庫であればアースを取ることが望ましいが、十分に守られていないのが現状である。
【０００７】
電磁波はその周波数の種類によって、Ｘ線やγ線などの電離放射線、可視光線や紫外線・赤外線などの光、３００ＴＨｚ以下の電波に分かれるが、前記したとおり、通信機器や電気製品によって生み出されるマイクロ波（高周波）、短波、中波、長波、超低周波といった人工の電磁波が人体に与える影響が、昨今、取り沙汰されている。他方、人体は様々な活動によりプラスに帯電しており、電気を通しやすい金属に触れるとマイナスイオンが人体のプラスイオンを中和しようとして、パチパチという音と共に発火放電することがあるが、それ以外にも常時、体表面から自然放電している。
【０００８】
更に、昨今、アロマテラピーが流行しているが、植物や花、根、果実などの自然素材から抽出されたアロマオイルが用いられるため、芳香成分により精神安定の効果が得られるだけでなく、そのエキスを吸引することで有効成分が血液中に取り込まれて血圧を安定させ、抗不安や抗不眠といった癒しやリラクゼーションの効果があると言われている。
【０００９】
このように、水粒子を微細化することで大量のマイナスイオンが発生するところ、人体から排出される息こそ大量なマイナスイオン発生源である点に着目して、マイナスイオン環境が創出されるようにし、また、様々の通信機器や電気製品から人工的な電磁波が発生するところ、人体に帯電したプラス電荷が常に体表面から自然放電されている点に着目して、電磁波の悪影響を受けないようにし、更に、アロマテラピーが流行しているところ、アロマオイルの芳香成分などの有効成分が抗不安や抗不眠の作用を有する点に着目して、癒しやリラクゼーションの効果が得られるようにすることが、本発明の背景技術となっている。
【特許文献１】特開平２００３−１６４３１１
【発明の開示】
【発明が解決しようとする課題】
【００１０】
そこで、日常的に所持することにつき煩わしさがなく、開閉もスムーズに行えることは勿論のこと、マイナスイオン環境の創出のみならず、電磁波の影響低減、更には、芳香等の有効成分による鎮静やリラクゼーションの効果に優れた物品の提供を課題として、本発明に係る扇子を開発した。また、長期の使用に耐え得るよう、扇骨や扇面に強度があり、且つ、美感に優れた扇子とすることも、本発明が解決すべき課題の１つである。
【課題を解決するための手段】
【００１１】
本発明に係る扇子は、前記課題を解決するための手段として、下記構成の扇子を提案する。
【００１２】
請求項１に係る発明は、少なくとも、複数の扇骨と、該複数の扇骨を開閉自在に束ねる要と、前記複数の扇骨に貼付される扇面とから構成される扇子において、前記扇面は片面又は両面が毛羽立たせてあること、又は、扇面の片面又は両面若しくは扇骨に羽毛を貼り合わせたことを特徴とする扇子である。
【００１３】
請求項２に係る発明は、請求項1に記載の発明であって、前記扇面の片面には吸放湿性を損なわないように金属皮膜が形成されており、前記複数の扇骨には導電性塗装が前記要まで連続して施されており、前記金属皮膜と前記導電性塗装はいずれかの部分で通電可能に接触していることを特徴とする扇子である。
【００１４】
請求項３に係る発明は、請求項１に記載の発明であって、前記扇面の片面には吸放湿性を損なわないように金属皮膜が形成されており、前記複数の扇骨の各々は２枚の竹皮を前記要まで導電性接着剤で貼り合わせたものであり、前記金属皮膜と前記導電性接着剤はいずれかの部分で通電可能に接触していることを特徴とする扇子である。
【００１５】
請求項４に係る発明は、請求項２又は請求項３に記載の発明であって、前記要は導電性素材であること、又は、導電性塗装が施されていることを特徴とする扇子である。
【００１６】
請求項５に係る発明は、請求項１乃至請求項４に記載の発明であって、前記扇面が貼付される前記複数の扇骨には予め芯紙が設けられていることを特徴とする扇子である。
【００１７】
請求項６に係る発明は、請求項５に記載の発明であって、前記芯紙は導電性素材であることを特徴とする扇子である。
【００１８】
請求項７に係る発明は、請求項１乃至請求項６に記載の発明であって、前記扇面は竹紙又は竹布又は絹若しくは綿であることを特徴とする扇子である。
【００１９】
請求項８に係る発明は、請求項1乃至請求項７に記載の発明であって、前記扇面が貼付されるとは反対側の複数の扇骨には意匠を凝らした装飾紙が貼付されることを特徴とする扇子である。
【００２０】
請求項９に係る発明は、請求項２乃至請求項８に記載の発明であって、前記複数の扇骨と前記扇面との貼付は導電性接着剤又は珪藻土又はアロフェンの微粒子を混合した導電性接着剤によること特徴とする扇子である。
【００２１】
請求項１０に係る発明は、請求項1乃至請求項９に記載の発明であって、前記要には導電性を帯びるよう炭化させた小径の竹筒又は瓢箪が導電性の連結具で連結されており、該竹筒又は瓢箪にはアロマオイル等の芳香剤が含侵又は封入されていることを特徴とする扇子である。
【発明の効果】
【００２２】
請求項1に記載の発明では、複数の扇骨に貼付される扇面の片面又は両面を毛羽立たせたこと、又は、扇面の片面又は両面若しくは扇骨に羽毛を貼り合わせたことで、起毛化により扇面の表面積が増大し、吸放湿の機能が著しく高められている。その結果、前記起毛部分に息から排出された微細な水粒子が大量に付着（吸湿）し、扇子を扇ぐことでそれが放出（放湿）されるため、顔の周辺にマイナスイオン環境が創出され、体内に多くのマイナスイオンを取り込むことが可能である。それにより、自律神経を安定させ、ストレスを大幅に軽減することができる。また、活動により人体はプラスに帯電するところ、花粉もプラスに帯電しているため、体表面から反発して浮遊し、鼻から吸引され易い状態となるが、本発明の扇子を扇いで大量のマイナスイオンを放出することで、花粉がマイナスに帯電し、又は、体表面がマイナスに帯電するため、花粉は体表面に吸着され、鼻への吸引がされ難い状態となる。このように、本発明により自律神経やストレスの安定だけでなく、花粉症の予防・低減にも資することが可能である。
【００２３】
請求項２に記載の発明では、前記扇面の片面には吸放湿性を損なわないように金属皮膜を形成したことで、吸放湿性はそのままに導電性を備えるに至っており、また、前記複数の扇骨には導電性塗装を要まで連続して施し、前記金属皮膜と前記導電性塗装をいずれかの部分で通電可能に接触させたことで、扇面から要まで通電可能な状態とした。その結果、扇面の金属皮膜で吸収された電磁波は微弱電流化し、前記水粒子の放出（放湿）時に空気中に放電されるとともに、導電性塗装が施された扇骨を伝って、要付近の扇骨を所持する指から体表面にも放電することが可能である。因みに、本発明に係る扇子によって２０〜５０デシベルの電磁波をシールドできる。このように、本発明によりマイナスイオンの効果だけでなく、免疫力を低下させ、癌やアルツハイマー病などの間接的な原因となる電磁波の影響を低減させることができる。
【００２４】
請求項３に記載の発明では、前記扇面の片面には吸放湿性を損なわないように金属皮膜を形成したことで、吸放湿性はそのままに導電性を備えるに至っており、また、前記複数の扇骨の各々は２枚の竹皮を導電性接着剤で貼り合わせ、前記金属皮膜と前記導電性接着剤をいずれかの部分で通電可能に接触させたことで、扇面から要まで通電可能な状態にした。その結果、扇面の金属皮膜で吸収された電磁波は微弱電流化し、前記水粒子の放出（放湿）時に空気中に放電されるとともに、導電性接着剤で張り合わせた扇骨を伝って、要付近の扇骨を所持する指から体表面にも放電することが可能である。また、扇骨が２枚の竹皮を張り合わせてあるため、曲げ強度が増し、しばしば天（扇子の上部）の付近で生ずる扇骨の折損を防止することも可能である。このように、本発明ではマイナスイオン環境の創出効果と、免疫力を低下させ、癌やアルツハイマー病などの間接的な原因となる電磁波の影響を低減させる効果に加え、扇骨の折損防止の効果も持たせることができる。
【００２５】
請求項４に記載の発明では、前記要を導電性素材とし、又は、導電性塗装を施したことで、前記微弱電流は、導電性塗装が施された扇骨を伝って、又は、導電性接着剤で張り合わされた扇骨を伝って、前記要に集合し、該要に接触する指から体表面に放電することが可能である。これにより、請求項２又は請求項３の場合よりも、体表面への放電効率を一層高められるため、電磁波の影響をより受けないようにすることが可能である。
【００２６】
請求項５に記載の発明では、前記扇面が貼付される前記複数の扇骨に予め芯紙を設けたことで、扇面の貼付をより確実に行うことが可能である。すなわち、芯紙がない場合は、扇面は扇骨だけに貼付されるが、芯紙があることで、扇面は複数の扇骨だけでなく芯紙にも貼付されるため、貼付が確実に行えるようになる。また、扇紙と芯紙との二枚合せになるので、強度も増し、破損の虞をより軽減することができる。
【００２７】
請求項６に記載の発明では、前記芯紙を導電性素材としたことで、扇面で吸収された電磁波の微弱電流を、芯紙を介して確実に扇骨に伝達させることができる。また、芯紙の放湿時に扇面で吸収された電磁波の微弱電流が放電されるので、放電効率をより高めることも可能である。
【００２８】
請求項７に記載の発明では、前記扇面を竹紙又は竹布又は絹若しくは綿としたことで、扇面の強度を増し、また、美感を高めることが可能である。本発明の扇面は片面又は両面を毛羽立たせることができれば、一般的な扇子と同様、通常の和紙を用いても構わないが、和紙は度重なる使用により縁の部分が破損し易いといった問題点があるため、吸放湿性に加え、引き裂き強度が高い竹紙や竹布を用いることが望ましい。また、竹布や絹または綿を用いた場合は、美感が優れており、肌触りが良いため、ファッション性が高く、高級感を与えることもできる。なお、扇面の片面又は両面を毛羽立たせるためには、竹紙の場合は竹皮を叩解という手法により繊維化させ、竹布と絹及び綿の場合はフィブリル処理によりパイル化する。それにより、竹紙や竹布、絹及び綿の表面が起毛して表面積が増すため、息から排出された大量の水粒子を付着させることができる。更に、竹パルプを１０％以上配合することで、非木材紙普及協会の「非木材紙マーク」を使用できるため、他社製品との差別化を図ることも可能である。
【００２９】
請求項８に記載の発明では、前記扇面が貼付されるとは反対側の複数の扇骨に意匠を凝らした装飾紙を貼付したことで、より美感に優れた扇子とすることが可能である。そのため、需要者の希望や流行に合わせて、様々の装飾を凝らした紙や布などを貼付し、市場に適した商品化を行うことができる。
【００３０】
請求項９に記載の発明では、前記複数の扇骨と前記扇面との貼付を導電性接着剤又は珪藻土またはアロフェンの微粒子を混合した導電性接着剤にて行うことで、扇面と扇骨の通電効率をより高めることが可能である。それにより、扇面で吸収された電磁波の微弱電流は確実に扇骨から要又はその付近に集められるため、電磁波防止の効果をより高めることができる。また、珪藻土又はアロフェンを混合した導電性接着剤では、珪藻土やアロフェンに保水作用があるため、扇子を扇いだ際に微細な水粒子の放出（放湿）が促進されて、マイナスイオン環境の創出のみならず、電磁波の微弱電流の放電効率も高められる。
【００３１】
請求項１０に記載の発明では、前記要には導電性を帯びるよう炭化させた小径の竹筒又は瓢箪を導電性の連結具で連結し、該竹筒又は瓢箪にはアロマオイル等の芳香剤を含侵又は封入したことで、長期にわたりアロマオイルの芳香成分などの有効成分を醸し続けることが可能である。すなわち、竹筒や瓢箪を炭化させることで、炭素の還元作用によりアロマオイルが劣化しないため、長期にわたり有効成分を維持することができる。また、炭化は導電性を帯びるよう行われるため、要に集まった電磁波の微弱電流は導電性の連結具を通って竹筒又は瓢箪まで伝達されて、竹筒又は瓢箪からも空気中に放電されることになる。このように、本発明では、マイナスイオン及び電磁波防止の効果に加え、アロマオイルの有効成分による鎮静やリラクゼーションの効果も奏することが可能である。
【発明を実施するための最良の形態】
【００３２】
以下、本発明に係る扇子の実施例を、図面に基づいて説明する。
図１は一般的な扇子の構造を示す図面、図２は扇面一枚を用いた場合の本発明の実施形態を示す図面、図３は扇面と装飾紙を用いた場合の本発明の実施形態を示す図面、図４は扇面と装飾紙及び芯紙を用いた場合の本発明の実施形態を示す図面、図５は扇面と装飾紙及び芯紙を用いた場合の本発明の別の実施形態を示す図面、図６は二枚合わせとした扇骨を示す図面、図７は要に瓢箪を連結した場合の本発明の実施形態を示す図面である。
【００３３】
一般的な扇子は、図１に示すように、複数の扇骨１と、該複数の扇骨１を開閉自在に束ねる要３と、前記複数の扇骨１に貼付される扇面２とから構成される。本発明はこの扇子を利用して前記課題の解決を図ったものであり、現実に実施される形態としては主に、扇面一枚を用いた場合、扇面と装飾紙を用いた場合、扇面と装飾紙及び芯紙を用いた場合の、３つのケースが予定される。以下、各ケースについて説明する。
【００３４】
扇面一枚を用いた場合
先ず、扇面一枚を用いた場合は、扇面２の表面に装飾的な意匠を凝らさねばならないため、人間の息から排出される微細な水粒子を付着（吸湿）させるためには、図２に示すとおり、毛羽立たせた起毛４側を扇面２の裏面として扇骨１に貼付する。図２は、扇面２を扇骨１に貼付した状態を示すものであるが、扇子を開いた状態では、複数の扇骨間に毛羽立たせた扇面２の裏面が広く露出するため、息から排出された大量の水粒子を付着（吸湿）させることができる。扇面２を毛羽立たせる方法としては、竹紙の場合は竹皮を叩解という手法により繊維化することで行い、竹布や絹及び綿の場合はフィブリル処理を施してパイル化することにより行うが、必ずしもこれに限定しない。本発明ではまた、扇面２の片面又は両面を毛羽立たせる代わりに、ダウンボールなどの羽毛を貼り合わせることも予定しており、毛羽立たせた場合と同等の効果を得ることができる。ダウンボール等の羽毛の貼り合わせは、扇面２の片面又は両面に対して行う場合と、扇骨１に対して行う場合とがあり、マイナスイオン効果のみを奏するケースでは通常の接着剤で、また、マイナスイオンに加えて電磁波予防の効果も奏するケースでは導電性接着剤で接着することが望ましい。扇面２の表面に装飾性を持たせる図２の実施例では、マイナスイオン効果と電磁波低減の効果を持たせるため、扇面２の裏面にのみ、後述する金属皮膜を形成したダウンボールなどの羽毛を、導電性接着剤で貼り合わせてある。なお、ダウンボールなどの羽毛は幅があるため、扇骨１に貼り合わせることによっても、扇子を開いた際に、扇面２の裏面全体を羽毛が覆うので、同様の効果を得ることができる。毛羽立たせ又は羽毛の貼り合わせることで生じた起毛４により、表面積が著しく増大した扇面２の裏面には、息から排出された微細な水粒子が大量に付着（吸湿）するため、扇子を扇ぐことで、今度は付着した水粒子が放出（放湿）され、顔の周辺にマイナスイオン環境が創出されることになる。すなわち、先に人間の息には２０，０００〜５０，０００個／立方センチメートルものマイナスイオンが含まれると説明したが、これは息から排出される微細な水粒子はマイナスに帯電しており、空気中のプラスイオンを吸着するため、電気二重層の原理により、その周辺の空気分子がマイナスに帯電し、マイナスイオン環境が創出されるのである。本発明では扇面２として竹紙又は竹布又は絹若しくは綿の採用を予定しているが、竹紙は通常の和紙に比べて、吸放湿性をはじめ、引裂き強度の点でも優れているため、長期間にわたる使用でも破損が生じ難い。また、竹布や絹及び綿の場合は、吸放湿性はそのままに、美感や肌触りに優れているため、ファッション性の高い扇子に適している。
【００３５】
毛羽立たせ又は羽毛の貼り合わせにより裏面に起毛４が形成された扇面２は、複数の扇骨１に貼付されるが、本発明では前記したマイナスイオン機能に加え、電磁波の影響を低減させる機能をも持たせることができ、その場合は、扇面２で電磁波が吸収されるよう、前記起毛４にその吸放湿性を損なわないよう金属皮膜５を形成する。金属皮膜５の形成はスパッタリングという方法により行うことで、素材本来の性質や機能に影響を与えることなく行うことが可能である。また、羽毛を貼り合わせる場合は、予めスパッタリングにより金属皮膜を形成したものを用いてもよい。そのため、裏面の起毛４に金属皮膜５が形成された扇面２は、吸放湿性はそのままに、導電性も備えたものとなる。また、扇面２の金属皮膜５で吸収された電磁波の微弱電流は、水粒子が放出（放湿）される際の自然放電に加え、指から人間の体表面を通じても放電されるようにするため、金属皮膜５の微弱電流が扇骨１から指に導かれるよう、扇骨１には要３まで連続して導電性塗装が施されている。金属皮膜５と導電性塗装が施された扇骨１はいずれかの部分で通電可能に接触しているため、扇面２で吸収された電磁波の微弱電流は、扇骨１から指を通じて体表面から放電されることになる。また、要３を導電性素材又は導電性塗装を施したものとすることで、微弱電流は要３に集まるため、その周辺を持つ指から体表面への放電が、より確実に行えるようになる。
【００３６】
また、扇子は長期の使用によりしばしば、天（扇面２の上部）の付近などで扇骨１が折損するため、これを防止するため、図６に示すように、２枚の竹皮１ａと１ｂを貼り合わせたものとすることができる。竹はそもそも曲げ強度に優れた素材であるが、これを２枚合わせとすることで、その効果がより一層高められる。この場合も、扇面２で吸収された電磁波の微弱電流を指から体表面に放電させるため、竹皮１ａと１ｂの貼り合わせは導電性接着剤を用いて行い、導電性接着剤と前記金属皮膜５をいずれかの部分で通電可能に接触させたことで、前記微弱電流は扇面２から扇骨１を伝って、指から体表面に放電されることになる。なお、図２に示す実施例では、扇面２の表面に装飾的な意匠を凝らすため、その裏面だけを毛羽立たせ又は羽毛を貼り合わせてあるが、装飾性にこだわらず、マイナスイオン環境の創出効果を一層高めたければ、両面とも毛羽立たせ又は羽毛を貼り合わせても良い。
【００３７】
扇面と装飾紙を用いた場合
次に、扇面と装飾紙を用いた場合は、装飾紙に意匠が凝らしてあるため、図３に示すとおり、両面を毛羽立たせた扇面２を用い、その裏面の起毛４にのみ金属皮膜５を形成し、扇骨１に貼付する。なお、装飾紙６は扇面２が貼付されるとは反対側の扇骨部分に貼付され、紙製でも布製でも構わない。このように、扇面２の両面を毛羽立たせたことで、人間の息から排出される微細な水粒子の付着・放出（吸放湿）効果がより高められるため、より効率的にマイナスイオン環境を創出することができる。なお、この場合も、扇面２で吸収された電磁波の微弱電流が体表面に放電されるよう、扇骨１は導電性塗装が施されており、又は、竹皮１ａと１ｂを導電性接着剤で貼り合わせた２枚合わせの扇骨が用いられる。また、上の実施形態も含め、本実施形態においても、扇骨１と扇面２との貼付を導電性接着剤で行うことで導電効率を向上させることができる。また、珪藻土やアロフェンの微粒子を混同させた導電性接着剤を用いた場合は、珪藻土やアロフェンに保水作用があり、扇子を扇いだ際に微細な水粒子が放出（放湿）されるため、自然放電の効率が高められると共に、マイナスイオン環境の創出をも促進することができる。また、図３の実施例では扇面２の両面が毛羽立たせてあるが、扇子の両面に意匠を凝らしたいのであれば、息からの水粒子の付着機能は弱まるが、扇面２の片面のみ毛羽立たせてもよい。なお、扇面を毛羽立たせる代わりにダウンボールなどの羽毛を貼り合わせても良いこと、扇面２に竹紙又は竹布若しくは絹を採用し得ること、更に、要３を導電性素材とし又は導電性塗装を施すことで、本発明の効果がより高められることは、前記した実施形態と同様である。
【００３８】
扇面と装飾紙及び芯紙を用いた場合
次に、扇面と装飾紙及び芯紙を用いた場合は、芯紙が導電性素材でない場合と導電性素材である場合の２つの実施形態がある。芯紙が導電性素材でない実施例では、図４に示すとおり、扇骨１に予め通常の和紙等からなる芯紙７が設けられており、扇骨１の片側には片面の起毛４に金属皮膜５を形成した扇面２が貼付され、扇骨１の反対側には装飾紙６が貼付されている。図面では、本実施例の構成を理解し易くするため、芯紙７が扇骨１の側部よりも幅広に表されているが、現実には、扇骨１と略同じ幅で設けられている。その結果、扇面２と装飾紙６の貼付はいずれも、扇骨１のみならず、芯紙７に対しても行われるため、扇面２と装飾紙６の強度が増し、度重なる使用によっても破損が生じ難くなる。なお、扇面を毛羽立たせる代わりにダウンボールなどの羽毛を貼り合わせても良いこと、扇面２に竹紙又は竹布若しくは絹を採用し得ること、更に、導電性塗装を施した扇骨又は２枚の竹皮１ａ及び１ｂを導電性接着剤で張り合わせた扇骨を用いること、加えて、要３を導電性素材とし又は導電性塗装を施すことで、本発明の効果がより高められることは、前記した実施形態と同様である。
【００３９】
次に、芯紙が導電性素材である実施例では、芯紙自体に導電性が備わっているため、図５に示すとおり、片面だけ毛羽立たせた扇面２を、毛羽立たせてない裏面と扇骨１とでダイレクトに貼付すればよく、起毛４への金属皮膜の形成は必要でない。なお、導電性素材としては銀紙又は銀粒子を混同した芯紙の採用を予定しているが、これに限定しない。この実施例では、電磁波は導電性を備えた芯紙７で吸収され、その微弱電流は扇骨１を伝って、指から体表面に放電されることになる。なお、扇骨１は導電性塗装が施されており又は２枚の竹皮１ａ及び１ｂを導電性接着剤で張り合わせたものであることは、前記実施形態と同様である。芯紙７自体に導電性が備わっており、これと前記導電性塗装又は導電性接着剤とが接触しているため、芯紙７と扇骨１は通電可能な状態となっている。この実施例は扇面２に金属皮膜を形成しない簡易な構造であるため、特に、扇骨１と扇面２の貼付を導電性接着剤にて用いて行うことで、電磁波吸収の促進効果が期待できる。すなわち、扇面２は扇骨１に貼付されるとはいえ、芯紙７に対しても貼付が行われるため、前記貼付を導電性接着剤にて行うことで、電磁波の吸収効率が高まるからである。また、珪藻土やアロフェンの微粒子を混合した導電性接着剤を用いた場合は、珪藻土やアロフェンの保水性により、導電性接着剤からも水粒子の放出（放湿）が行われるため、自然放電の際の放電効率も高められるとともに、マイナスイオン環境の創出も促進される。もちろん、導電性素材でない芯紙を用いた前記ケースでも、扇骨１と扇面２の貼付を導電性接着剤や珪藻土又はアロフェンの微粒子が混合された導電性接着剤で行ってもよく、その場合はより一層の電磁波抑制及びマイナスイオン環境創出の効果を得ることができる。なお、どちらのケースでも、扇面を毛羽立たせる代わりにダウンボールなどの羽毛を貼り合わせても良いこと、扇面２に竹紙又は竹布又は絹若しくは綿を採用し得ることは、前記した実施形態と同様である。
要に炭化した竹筒又は瓢箪を連結した場合
【００４０】
本発明では更に、上記実施例に係る扇子の要に導電性を帯びるよう炭化した小径の竹筒又は瓢箪を導電性の連結具で連結した実施形態も予定しており、その場合は図７に示すとおり、金属チェーンなど導電性の連結具９を用いて、要３から垂下するよう前記竹筒又は瓢箪を連結する。図面では小径の瓢箪が連結されているが、小径の竹筒を用いてもよい。竹筒又は瓢箪にはアロマオイル等の芳香剤が含侵又は封入されているが、竹筒又は瓢箪を炭化してあることで、炭素の還元作用によりアロマオイルが酸化せず、長期間にわたり有効成分の効果を維持することができる。また、アロマオイルにアルコールを添加することで殺菌効果が生ずるため、アロマオイルの劣化や変質を防止することもできる。なお、アロマオイルとアルコールを含侵若又は封入した竹筒又は瓢箪は、使用していない時は水を浸したビニール袋などに入れて口を閉じておくことで、アロマオイルやアルコールの気化を防止することができる。加えて、竹筒又は瓢箪の炭化は１，０００℃以上の温度で行うことで、導電性を帯びるようになるため、電磁波の低減・抑制にも資することができる。すなわち、扇面２や芯紙７で吸収された電磁波の微弱電流は、扇骨１を伝って要３に集まり、導電性の連結具９から竹筒又は瓢箪８へも伝達されることで、自然放電及び体表面からの放電に加え、竹筒又は瓢箪８からも放電されるため、放電効率が更に向上するのである。
【００４１】
以上のとおり、本発明に係る実施形態により、マイナスイオン環境の創出のみならず、電磁波の低減・防止、更には、アロマテラピーにおける鎮静・リラクゼーション、花粉症の予防、扇骨と扇面及び装飾紙の強化の効果を、相乗的に得ることが可能となる。
【産業上の利用可能性】
【００４２】
本発明に係る扇子は、小型・軽量であり、手軽にマイナスイオン環境の創出ができるほか、電磁波の影響を抑止・低減や、精神安定の効果が得られ、花粉症も抑制できるため、簡易に健康を維持・増進できる商品として利用される。
【図面の簡単な説明】
【００４３】
【図１】一般的な扇子の構造を示す図面である。
【図２】扇面一枚を用いた場合の本発明の実施形態を示す図面である。
【図３】扇面と装飾紙を用いた場合の本発明の実施形態を示す図面である。
【図４】扇面と装飾紙及び芯紙を用いた場合の本発明の実施形態を示す図面である。
【図５】扇面と装飾紙及び芯紙を用いた場合の本発明の別の実施形態を示す図面である。
【図６】２枚合わせとした扇骨を示す図面である。
【図７】要に瓢箪を連結した場合の本発明の実施形態を示す図面である。
【符号の説明】
【００４４】
１    扇骨
１ａ  竹皮
１ｂ  竹皮
２    扇面
３    要
４    起毛
５    金属皮膜
６    装飾紙
７    芯紙
８    瓢箪
９    連結具
【図１】
2008253588.tif 000003
【図２】
2008253588.tif 000004
【図３】
2008253588.tif 000005
【図４】
2008253588.tif 000006
【図５】
2008253588.tif 000007
【図６】
2008253588.tif 000008
【図７】
2008253588.tif 000009